(57)【要約】      （修正有）【課題】シャワー水、お湯等を放射したい目標地点である洗顔・洗髪・洗体部への水またはお湯を思惑通りに放射できるシャワーヘッドと受け具セットを提供する。【解決手段】自然水圧によるシャワーヘッドの動きを止めるための支持部・保持部分が多角形のシャワーヘッド１と受け具２のセット。【選択図】図１
2017121456.tif 000002
【特許請求の範囲】
【請求項１】
浴室・シャワールーム内、洗髪、洗顔、洗体、及びその他において、及びその他、支持部・保持部分が多角型のシャワーヘッドと受け具類を製造する産業及び施設、家庭、工場、社屋、博物館、動物園、植物園、ショッピングセンター、百貨店等、洗車・洗道・洗建造物・洗動物・水まき他、従来の使い方を継承しつつ、自然水圧による勝手な上下左右動作を抑制する便利性をいかし、より多目的に利用が可能である、自然水圧によるシャワーヘッドの動きを止めるための支持部・保持部分が多角形のシャワーヘッドと受け具のセット
【発明の詳細な説明】
【技術分野】
【０００１】本発明は、支持・保持部分が多角形のシャワーヘッドと受け具類を、製造する産業及び施設、使用する家庭、工場、社屋、博物館、動物園、植物園、ショッピングセンター、百貨店等、洗車・洗道・洗建造物・洗動物・浴室・シャワールーム内、洗顔、洗髪、洗体、水撒き及びその他、従来の使い方を継承しつつ、自然水圧による勝手な上下左右動作を抑制する便利性をいかし、より多目的に利用が可能である、自然水圧によるシャワーヘッドの勝手な上下左右の動きを抑制するための支持・保持部分が多角形のシャワーヘッドと受け具セットに関する。
【背景技術】
【先行技術文献】
【０００２】従来品におけるシャワーヘッドには、保持部分が円形のもの、保持部分が上下や左右に動くものであった為、例えば特に洗顔、洗髪等による目を開けにくい状態の時に、自然水圧によってシャワーヘッドが上下や左右へ勝手に動いてしまうことによる、水またはお湯を放射する目的場所である洗顔・洗髪部への水またはお湯を放射できなくなることによる不便・不快感を伴う場合等は不向きであった。その他目標場所へ放射できず、泡などが付着したままの手等によって、本来目標場所へ放射させる為に何度も位置調整を余儀なくされる等の、解決するべき他の問題が多すぎる為、大変困難であった。（例えば特許文献１）
【特許文献１】実登３０２２０１２
【発明の概要】
【発明が解決しようとする課題】
【０００３】しかしながら従来品における保持部分が円型または角度調整可能なシャワーヘッドと受け具の組み合わせでは、シャワー放射したい目標地点へ、自然水圧によって左右のみならず上下への自然勝手な動きが発生することによって、例えばシャワー水、お湯等を放射したい目標地点である洗顔・洗髪・洗体部への水またはお湯を思惑通りに放射できなくなることによる不便・不快感を伴う場合等は不向きであった。その他自然水圧によって左右のみならず上下への自然勝手な動きが発生することによって目標場所へ放射できず、泡などが付着したままの手等によって、本来目標場所へ放射させる為に何度も位置調整を余儀なくされる等の事象を完全に抑制する形状方式が無かった。特に、目の周りに洗剤等が付着していた場合等は瞬時に目を開ける事による目玉への洗剤等付着による痛み等が発生し、自然水圧によって左右のみならず上下への自然勝手な動きを思惑通りの位置へ戻す事が困難になり、それによって不便・不具合・不快感が発生するという点で不利がある。
【課題を解決するための手段】
【０００４】本発明はシャワーヘッドの支持・保持部分を多角形にすることによる自然水圧による勝手な上下左右動作を抑制し、例えば洗顔・洗髪中であったとしても快適・便利に目標地点へシャワーから水またはお湯を水圧による妨害を受ける事無く放射するのに有効であり、従来の製作方法を円形から多角形へ変えるだけによる製造便利性と量産性の機能を有していることを特徴とする事で上記課題を解決する。
【発明の効果】
【０００５】本発明はシャワーヘッドの支持・保持部分を多角型にすることによる自然水圧による勝手な上下左右動作を抑制し、従来の製作方法を円形から角型へ変えるだけによる便利性と量産性の機能を有していることを特徴とする事で本発明は、軽量で、便利性・携帯性と量産性の機能を有していることで、例えば洗顔・洗髪中であったとしても快適・便利に目標地点へシャワーから水またはお湯を水圧による妨害を受ける事無く放射するのに極めて有効である。
【発明を実施するための形態】
【０００６】本発明の、例えば洗顔・洗髪中であったとしても快適・便利に目標地点へシャワーから水またはお湯を、自然水圧による妨害を受ける事無く放射する保持部分が多角形のシャワーヘッドと受け具セットは、図１に示すように、１〜２を組み合わせる事により、本来の目的通りに機能する。本発明は以上のような構造である。
【実施例】
【０００７】一般的に普及しているシャワーヘッドと受けのセットと同様の形成樹脂製または金属製にて多角型とし、一般的に普及しているシャワーヘッド同様の内部機械類を保護する仕様とし、使用方法自体に大きな変化を持たさず、従来通りの使い方を継承しつつ、快適性・便利性を追求した、例えば洗顔・洗髪中であったとしても快適・便利に目標地点へシャワーから水またはお湯を水圧による妨害を受ける事無く放射するために、図１に示すシステムを全て具現化する為の、その時代における製造技術・新規技術に関わらず、サイズは一般普及している程度のサイズ、高さ約１５０ｍｍ、約２５〜３５ｍｍ□程度を好適な組み合わせとして標準化する。この事により設計、施工製作が容易になる。また携帯性を向上させる為の脱着可能な支持・保持部分が多角形のシャワーヘッドを通す内部が多角形受け部位２を有することとし、その開口サイズは箇所数に関わらずそれぞれ径に対して５ｍｍ前後程度までの寸法縮小とする。重量は従来品に準ずる同等前後とするのが最適である。【０００８】以上、本発明の実施の形態及び実施例を説明したが、本発明の範囲はこれに限定されるものではない。例えば１と２の組み合わせ設置位置や持ち手形状、あるいは本体１の全体寸法、直径寸法、Ｒ形状と直線設置位置、１を通す部位２の大きさや箇所数、壁等への設置位置、大きさや加工設置位置と触感は、状況に応じて適宜選択されるものである。又は色、外観を動・植物や果物及び独自・任意の占有キャラクター等を模した造形であることも状況に応じて適宜選択されるものである。【０００９】また、２の受け部を簡易脱着機能を持たせることにより、例えば別売り商品としての支持・保持部分が多角形のシャワーヘッドのみ、又は受け具を交換する事による連動性を持たせて、本来の支持部・保持部分が多角形のシャワーヘッドと受け具をセット化出来る設定を付しても良い。【００１０】さらに、発明を実施する為の最良の形態と実施図例では８角形程度で、一般的に普及しいている形成樹脂と金属製について説明しているが、８角形程度で形成樹脂と金属類に限られたものではなく、その他例えばアルミ材、硬質・軟質塩化ビニール材、その他樹脂材、その他スチール材、ガラス等、適当な任意の材料が利用でき、形状、大きさも、多角形程度も任意に選定する事が出来る。また用途も浴室で洗髪・洗顔・洗体という一面に限らず、洗車・洗道・洗建造物・洗動物・水まき他、従来の使い方を継承しつつ、自然水圧による勝手な上下左右動作を抑制する便利性をいかし、より多目的に利用しても良い。
【産業上の利用可能性】
【００１１】本発明は、支持部・保持部分が多角型のシャワーヘッドと受け具類を製造する産業及び施設、家庭、工場、社屋、博物館、動物園、植物園、ショッピングセンター、百貨店等、洗車・洗道・洗建造物・洗動物・水まき他、従来の使い方を継承しつつ、自然水圧による勝手な上下左右動作を抑制する便利性をいかし、より多目的に利用が可能である。
【図面の簡単な説明】
【００１２】
【図１】本発明を実施するための最良の第一の形態のパースペクティブ図である。
【図２】本発明を実施するための最良の第一の形態の平面図である。
【符号の説明】
【受託番号】（１）    角型シャワーヘッド本体部
（２）    角型シャワーヘッド受け部
（３）    壁等
【図１】
2017121456.tif 000003
【図２】
2017121456.tif 000004